(57)【特許請求の範囲】
【請求項１】
外壁と内壁との間に通気層を備え、この外壁側下端部に前記通気層に通じる通気口が設けられた建物の、前記通気口を含む外壁側下端部を覆って水切りする水切り材であって、水切り内側部材と、この水切り内側部材の上に被せて取り付けられる水切り外側部材のそれぞれに外気と前記通気口に通じる開口孔が設けられ、それぞれの開口孔が水切り材の長手方向における位置を互いにずらして配置されていることを特徴とする水切り材。
【請求項２】
前記水切り内側部材が、軟質材で成形されていることを特徴とする請求項１記載の水切り材。
【請求項３】
請求項１記載の水切り材が、建物外壁の内側に取付けられた水切り受け材に固定され、水切り受け材には建物内通気層と外気に通じる通気口に連通する通気用切り欠きが、水切り内側部材の開口孔と、水切り材の長手方向における位置を互いにずらして設けられ、外気に通じる通気口を覆って設けられていることを特徴とする水切り構造。
【発明の詳細な説明】
【０００１】
【発明の属する技術分野】
本発明は、建物の水切り材及び水切り構造に関する。
【０００２】
【従来の技術】
従来、一般施工の住宅においては、換気式の建物が開示されている（特開昭５７−２４７４８号等）。即ち、換気式建物は建物の外壁と内壁との間に通気層を備え、外壁の下方位置に外気通気口を備え、前記通気層と連通されている。そのため、夏季は床下の冷気を吸入して建物の放熱効果を高め、冬季においては、小屋裏に放出された室内暖気を下方に循環させて建物全体の暖気性能の向上が図られている。このような換気式の建物の利点をユニット建物に応用したのが特公平４−７２９３６号公報である。この公報記載のユニット建物は、建物ユニットの接続部と外気流通口に通じる開口部を備えたモールで被覆してなるものである。
【０００３】
【発明が解決しようとする課題】
しかしながら、上記の特公平４−７２９３６号公報に記載されたユニット建物の外壁側下端部に設けられたモールは、開口部が強風時の雨水の浸入を完全に遮断できないと言った問題があった。
【０００４】
本発明は、上記の問題点に着目してなされたものであり、その目的とするところは、これらの問題点を解消し、通気口より建物内部への雨水が浸入するのを防止することができる建物の水切り材及び水切り構造を提供することにある。
【０００５】
【課題を解決するための手段】
請求項１記載の水切り材においては、外壁と内壁との間に通気層を備え、この外壁側下端部に前記通気層に通じる通気口が設けられた建物の、前記通気口を含む外壁側下端部を覆って水切りする水切り材であって、水切り内側部材と、この水切り内側部材の上に被せて取り付けられる水切り外側部材のそれぞれに外気と前記通気口に通じる開口孔が設けられ、それぞれの開口孔が水切り材の長手方向における位置を互いにずらして配置されていることを特徴とする。
【０００６】
請求項２記載の水切り材においては、前記水切り内側部材が、軟質材で成形されていることを特徴とする。
【０００７】
請求項３記載の水切り材においては、請求項１記載の水切り材が、建物外壁の内側に取付けられた水切り受け材に固定され、水切り受け材には建物内通気層と外気に通じる通気口に連通する通気用切り欠きが、水切り内側部材の開口孔と、水切り材の長手方向における位置を互いにずらして設けられ、外気に通じる通気口を覆って設けられていることを特徴とする。
【０００８】
【作用】
請求項１記載の水切り材においては、水切り内側部材と、この水切り内側部材の上に被せて取り付けられる水切り外側部材のそれぞれに外気と前記通気口に通じる開口孔が設けられ、それぞれの開口孔が水切り材の長手方向における位置を互いにずらして配置されているので、開口孔より建物内部への雨水が浸入するのを防止すると共に、建物の通気性能を高めることができる。
【０００９】
請求項２記載の水切り材においては、内側部材が、軟質材で成形されているので、釘固定の時、軟質材で成形された水切り内側部材は下孔なしで釘打ちできるので、施工が容易となる。
【００１０】
請求項３記載の水切り材においては、水切り受け材には建物内通気層と外気に通じる通気口に連通する通気用切り欠きが、水切り内側部材の開口孔と、水切り材の長手方向における位置を互いにずらして設けられ、外気に通じる通気口を覆って設けられているので、より一層、開口孔より建物内部への雨水が浸入するのを防止することが出来る。
【００１１】
【発明の実施の形態】
以下に、本発明の実施の形態を図面を参照して説明する。
図１は、本発明の１実施例であって、水切り材の使用状態を示す断面図である。
図２（イ）は、水切り外側部材の断面図であり、（ロ）は、ＡーＡ’矢視線における断面図である。
図３（イ）は、水切り内側部材の断面図であり、（ロ）は、ＢーＢ’矢視線における断面図である。
図４は水切り受け木桟に水切り材が取り付けられた状態を示す断面図であり、図５は水切り受け木桟に水切り材が取り付けられた状態を示す斜視図であり、図６は通気経路を示す説明図である。
【００１２】
本実施例は、前面に屋上バルコニーのある２階部分の建物の外壁側下端部に取り付けられた水切り材が設けられた状態を示している。バルコニー床面１９と建物の外壁面は防水カバー材２０で仕舞いされている。
外壁１７と内壁１８との間に通気層１０ｂを備え、この外壁側下端部に前記通気層１０ｂに通じる通気口１０ａが設けられた建物に接続されている。
水切り材は水切り外側部材１１と水切り内側部材１２とから構成されて、水切り内側部材１２と、この水切り内側部材１２の上に被せて取り付けられる水切り外側部材１１のそれぞれに、外気と前記通気口１０ａに通じる開口孔１１ｂ、１２ｂが設けられている。そして、それぞれの開口孔１１ｂ、１２ｂは水切り材の長手方向（図１で紙面と直交する方向）における位置を互いにずらして配置されている。
【００１３】
また、開口孔１１ｂ、１２ｂが穿孔されているそれぞれの傾斜辺１１ｅ、１２ｅは内側が上向いて傾斜して取り付けられている。そして、傾斜辺は水切り内側部材１２を上にして、一定の距離をあけて建物の外壁側下端部に釘１５ａ、１５ｂで固定されている。従って、開口孔１１ｂ、１２ｂは外気のみ吸入して、雨水の通気層１０への侵入は防止される。
開口孔１１ｂ、１２ｂから取り入れられた外気Ａは建物の外壁１７の下端部に設けられている通気口１０ａに連接され、通気口１０ａは建物の外壁１７の内部に設けられている通気層１０ｂと連接されて、屋根裏に通じている。
【００１４】
図２は、開口孔１１ｂが設けられた水切り外側部材１１の断面図を示している。
水切り外側部材１１は図１に示すように、建物の外壁１７側下端部の横木桟１４と外壁材に釘１５ａ、１５ｂにて垂直辺１１ａ、１１ｆで固定されている。
垂直辺１１ｃは外壁１７の下端に防水材２１を介装して、外壁面との隙間をなくすようになっている。防水材２１に発泡体の合成樹脂材が用いられている。
傾斜辺１１ｅは内側に上向いて傾斜して、傾斜辺１１ｅには開口孔１１ｂが穿孔されている。図２（ロ）に示すように、開口孔１１ｂは傾斜辺１１ｅの長手方向に等間隔に設けられている。
又、下端部１１ｄは雨水の水切れを良くするために鋭角に折り曲げられいる。
【００１５】
図３（イ）は、開口孔１２ｂが設けられた水切り内側部材１２の断面図を示している。
水切り内側部材１２は、水切り外側部材１１の裏面の垂直辺１１ａに接して、建物の横木桟１４との間に挟まれて釘１５ａ、１５ｂで固定されている。
１２ｇの外周に発泡材２２を圧挿して、水切り内側部材１２の上端１２ｆは水切り外側部材１１を抑えるようにして、密着されている。
【００１６】
水切り内側部材１２の傾斜辺１２ｅは内側に上向いて傾斜して、傾斜辺１２ｅには開口孔１２ｂが穿孔されている。また、開口孔１２ｂは傾斜辺１２ｅの長手方向に等間隔をおいて設けられている。
図２（ロ）、図３（ロ）に示すように、開口孔１２ｂは水切り外側部材１１の開口孔１１ｂとは水切り材の長手方向にずれて穿孔されている。具体的には、１１ｂ、１２ｂはそれぞれ巾１００ミリの開口巾で水切り材の長手方向５００ミリ間隔に配置され、かつ１１ｂ、１２ｂとは２５０ミリずれて配置されている。従って、雨水の通気層１０ｂへの侵入が防止される。
【００１７】
本実施例の水切り材においては、水切り内側部材１２の上に被せて取り付けられる水切り外側部材１１のそれぞれに外気と前記通気口１０ａに通じる開口孔１１ｂ、１２ｂが設けられ、それぞれの開口孔１１ｂ、１２ｂが水切り材の長手方向における位置を互いにずらして配置されているので、通気口１０ａより建物内部への雨水が浸入するのを防止することができる。
【００１８】
また、請求項２記載の水切り内側部材１２においては、軟質材で成形されているので、釘１５ａ、１５ｂ固定の時、下孔なしで釘打ちできるので、施工の手間が鋼板下地に比べ軽減することができる。
【００１９】
請求項３記載水切り材は、図４に示す様に、建物外壁の内側に取付けられた水切り受け材３０に固定されている。
そして、水切り受け材３０には、等間隔に通気用切り欠き３１が設けられている。通気用切り欠き３１は上端で建物内の通気層１０ｂに連通して、下方で外気に通じる通気口１０ａに連通している。
又、水切り材の開口孔と水切り受け材３０に設けられた通気用切り欠き３１とは位置をずらして設けられている。
【００２０】
図５に示す様に、通気用切り欠き３１は建物の通気層に対応できる様に等間隔に設けられている。切り欠きの形状は断面を矩形になされているが、断面積を略一定にすれば、縦横の寸法は自由である。断面積は建物の通気層と対比して決められる。細長い矩形でもよく、あるいは円形の形状でも構わない。
一方、水切り材は、前述のように、水切り外側部材１１と水切り内側部材１２とから構成されて、水切り内側部材１２と、この水切り内側部材１２の上に被せて取り付けられる水切り外側部材１１のそれぞれに、外気と前記通気口１０ａに通じる開口孔１１ｂ、１２ｂが設けられている。それぞれの開口孔１１ｂ、１２ｂは水切り材の長手方向における位置を互いにずらして配置されている。
【００２１】
以上の様に、外気の建物内の通気層への経路は、図６に示す様に、外気は水切り材の開口孔１１ｂより進入して、壁面を水平に移動して、開口孔１２ｂを通って又、壁面を水平に移動して通気口１０ａから水切り受け材３０に設けられた通気用切り欠き３１に入ることができる。その後建物通気層１０ｂへと外気は流入してゆく。
以上の様に、水切り材の開口孔１１ｂ，１２ｂの位置ずれと水切り受け材３０に設けられた通気用切り欠き３１がすべて開口孔１１ｂ，１２ｂと通気口１０ａの位置をそれぞれずらして設けているので、雨水の浸入をより一層防止する事ができる。
【発明の効果】
請求項１記載の水切り材においては、水切り内側部材と、この水切り内側部材の上に被せて取り付けられる水切り外側部材のそれぞれに外気と前記通気口に通じる開口孔が設けられ、それぞれの開口孔が水切り材の長手方向における位置を互いにずらして配置されているので、開口孔より建物内部への雨水が浸入するのを防止すると共に、建物の通気性能を高めることができる。
【００２２】
請求項２記載の水切り材においては、内側部材が、軟質材で成形されているので、釘固定の時、軟質材で成形された水切り内側部材は下孔なしで釘打ちできるので、施工が容易となる。
【００２３】
請求項３記載の水切り材においては、水切り受け材には建物内通気層と外気に通じる通気口に連通する通気用切り欠きが、水切り内側部材の開口孔と、水切り材の長手方向における位置を互いにずらして設けられ、外気に通じる通気口を覆って設けられているので、より一層、開口孔より建物内部への雨水が浸入するのを防止することが出来る。
【図面の簡単な説明】
【図１】本発明の１実施例であって、水切り材の使用状態を示す断面図である。
【図２】（イ）は、水切り外側部材の断面図であり、（ロ）は、ＡーＡ’矢視線における断面図である。
【図３】（イ）は、水切り内側部材の断面図であり、（ロ）は、ＢーＢ’矢視線における断面図である。
【図４】水切り受け木桟に水切り材が取り付けられた状態を示す断面図である。
【図５】水切り受け木桟に水切り材が取り付けられた状態を示す斜視図である。
【図６】通気経路を示す説明図である。
【符号の説明】
１０ａ                    通気口
１０ｂ                    通気層
１１                      水切り外側部材
１１ａ、１１ｃ、１１ｆ    垂直辺
１１ｂ                    開口孔
１１ｄ                    屈折部
１１ｅ                    傾斜辺
１２                      水切り内側部材
１２ａ、１２ｃ、１２ｇ    垂直辺
１２ｂ                    開口孔
１２ｄ                    屈折部
１２ｅ                    傾斜辺
１２ｆ                    斜辺
１４                      横木桟
１５ａ、１５ｂ            釘
１７                      外壁
１８                      内壁
１９                      バルコニー床面
２０                      防水カバー材
２１                      発泡体
２２                      発泡体
３０                      水切り受け材
３１                      通気用切り欠き
【図１】
0003902859.tif 000002
【図２】
0003902859.tif 000003
【図３】
0003902859.tif 000004
【図４】
0003902859.tif 000005
【図５】
0003902859.tif 000006
【図６】
0003902859.tif 000007